(57)【特許請求の範囲】
【請求項１】
タッチ検知グリッドを形成する複数の受信チャネル（３２１）と、複数の送信チャネル（３１１）と、圧電層（３０４）とを備える投影型静電容量タッチスクリーン（３０１）のためのパワーモードを切り替える方法であって、前記方法は以下を備える：
タッチ検出モード（１０６）を起動すること；
タッチ検出モード（１０６）において、前記タッチスクリーン（３０１）における少なくとも一つのチャネル（３１１，３２１）を監視すること、ここでこれは、少なくとも一つのチャネル（３１１，３２１）における電荷量を監視することを含んでおり；
前記少なくとも一つのチャネル（３１１，３２１）についての監視に基づいて、タッチイベントが生じたことを決定すること；及び
前記タッチイベントが生じたことの決定に対応して、スイッチ（２０６、３２３）を用いて、タッチ検出モード（１０６）からスキャンモードに遷移させること、
ここで、前記スキャンモードにおいては、駆動回路（３１３）が、複数の送信チャネル（３１１）と複数の受信チャネル（３２１）との各交差における静電容量を測定するために、電圧を前記送信チャネル（３１１）に印加するようになっており、
さらにここで、前記タッチ検出モード（１０６）においては、駆動回路（３１３）は、送信チャネル（３１１）に電圧を印加しないようになっている。
【請求項２】
請求項１に記載の方法であって、ここでは、前記スキャンモードは、前記タッチスクリーン（３０１）における全てのチャネル（３１１，３２１）がスキャンされる高パワーモードを備えており、かつ、前記タッチ検出モード（１０６）は、前記タッチスクリーン（３０１）における全てのあるいはより少ないチャネル（３１１，３２１）が監視される低パワーモードを備えている。
【請求項３】
請求項１に記載の方法であって、ここでは、前記タッチ検出モード（１０６）を起動することは、デバイス使用文脈に基づいてタッチ検出モード（１０６）を起動することを備える。
【請求項４】
タッチ検出グリッドを形成する複数の受信チャネル（３２１）と、複数の送信チャネル（３１１）と、圧電層（３０４）とを備える投影型静電容量タッチスクリーン（３０１）におけるパワーモードを切り替えるための装置であって、前記装置は以下を備える：
コードを含むメモリ及びプロセッサ、ここで前記コードは、前記プロセッサ（１０８）に前記装置を制御させて、以下を行うために実行可能である：
タッチ検出モード（１０６）を起動すること；
前記タッチスクリーン（３０１）における少なくとも一つのチャネル（３１１，３２１）を、タッチ検出モード（１０６）にあるときに、監視すること、ここでこれは、少なくとも一つのチャネル（３１１，３２１）における電荷量を監視することを含んでいる；
タッチイベントが生じたことを、前記少なくとも一つのチャネル（３１１，３２１）についての監視に基づいて決定すること；及び
前記タッチイベントが生じたことの決定に対応して、スイッチ（２０６，３２３）を用いて、前記タッチ検出モード（１０６）からスキャンモードに遷移させること、
ここで、前記スキャンモードでは、複数の送信チャネル（３１１）と複数の受信チャネル（３２１）との各交差における静電容量を測定するために、駆動回路（３１３）が制御されて電圧を前記送信チャネル（３１１）に印加するようになっており、
さらにここで、タッチ検出モード（１０６）では、前記駆動回路（３１３）が制御されて、前記送信チャネル（３１１）に電圧を印加しないようになっている。
【請求項５】
請求項４に記載の装置であって、ここで、前記コードは、前記プロセッサに前記装置を制御させて、監視された少なくとも一つのチャネルにおける電荷からの信号を生成して、前記信号を用いてタッチイベントが生じたことを決定するために、さらに実行可能である。
【請求項６】
請求項５に記載の装置であって、ここで、前記スキャンモードは、前記タッチスクリーンにおける全てのチャネルがスキャンされる高パワーモードを備えており、前記タッチ検出モードは、前記タッチスクリーンにおける全てのあるいはより少ないチャネルが監視される低パワーモードを備えている。
【請求項７】
請求項４に記載の装置であって、ここで、前記コードは、前記プロセッサ（１０８）に前記装置を制御させて、デバイス使用文脈に少なくとも一部は基づいてタッチ検出モード（１０６）を起動するために実行可能である。
【請求項８】
タッチスクリーンのパワーモードを切り替えるための、請求項４に記載の装置であって、さらに以下を備える：
前記スイッチ（２０６，３２３）、ここで前記スイッチ（２０６，３２３）は、スキャンモード及びタッチ検出モード（１０６）のために構成されており、ここで、前記スイッチ（２０６，３２３）は、複数のチャネル入力（２１６）と、複数のスキャン出力（２１４）と、監視出力（２１２）とを有しており、前記スイッチ（２０６，３２３）は、前記複数のチャネル入力（２１６）のそれぞれにおける、対応するチャネル（３１１．３２１）からのチャネル信号を受信するように、そして、前記複数のチャネル入力（２１６）のそれぞれを、前記複数のスキャン出力（２１４）における対応するスキャン出力（２１４）に、前記装置が前記スキャンモードにあるときに接続するように、そして、少なくとも一つの前記複数のチャネル入力（２１６）を前記監視出力（２１２）に、前記装置が前記タッチ検出モード（１０６）にあるときに接続するように構成されており；そして
前記少なくとも一つの監視出力（２１２）に接続されたタッチ検出回路（２０４）、ここで、前記タッチ検出回路（２０４）は、タッチ検出信号出力（２０８）を有しており、前記装置がタッチ検出モード（１０６）にあるときに、監視出力（２１２）を監視するように、そして、前記スイッチ（２０６，３２３）の監視出力（２１２）において生成された信号が既定の基準に合致したときに、タッチ検出信号を生成することにより、タッチイベントが生じたことを決定するように構成されている。
【請求項９】
請求項８に記載の装置であって、さらに以下を備える：
前記投影型静電容量タッチスクリーン（３０１）。
【請求項１０】
請求項８に記載の装置であって、ここで、前記タッチ検出回路（２０４）は、前記監視出力（２１２）における電荷を電圧レベルに変換するように構成された変換回路を備えており、前記タッチ検出回路（２０４）は、タッチ検出信号を、前記電圧レベルが既定の基準に合致したときに、生成するようになっている。
【請求項１１】
請求項１０に記載の装置であって、ここで、前記タッチ検出回路（２０４）は、前記変換回路に接続された処理回路をさらに備えており、前記処理回路は、前記電圧レベルを監視して、タッチ検出信号を、前記電圧レベルが既定の基準に合致したときに、生成するようになっている。
【請求項１２】
請求項９に記載の装置であって、
ここで、前記プロセッサ（１０８）は、タッチ検出モード（１０６）にあるときに、前記スイッチ（２０６，３２３）を制御して、前記複数のチャネル（３１１，３２１）のそれぞれを前記監視出力（２１２）に順次接続するようにさらに構成されており、前記タッチスクリーン（３０１）における接触についての位置決定が可能となっている処理ユニット。
【発明の詳細な説明】
【関連出願への相互参照】
【０００１】
この出願は、２０１４年２月１８日に出願された継続中の米国仮特許出願番号６１/９４１，１９５への優先権及びそれからの利益を求めており、その全内容は、参照によりここに組み込まれる。
【技術分野】
【０００２】
記載された実施形態は、タッチスクリーンのための動作モードに関しており、特に、タッチ検出を用いてタッチスクリーンのためにパワーモードを切り替えることに関する。
【背景】
【０００３】
タッチ機能を有するデバイスは、日常生活において広く使用されるようになっている。タッチ機能を用いることができるデバイスは、スマートフォン、タブレットコンピュータ、電子キオスク、ゲームデバイス、パーソナルコンピュータ、及び他の何らかの形態の、タッチ機能を含むインタフェースを介して入力を受け付けるように構成可能な電子デバイスなどのデバイスを含む。
【０００４】
主要なタッチ技術は、投影型静電容量技術（projected capacitance technology）である。投影型静電容量技術は、ディスプレイにおける高い明瞭さと、低い反射率（low reflectance）とを提供し、さらに、タッチ機能を有するデバイスにおいて使用される場合に高耐久性を提供する。しかしながら、投影型静電容量技術は、結果として、他のタッチ技術に比較して、高い装置電力消費を招く。これは、デバイス性能にとって、特にバッテリ駆動のポータブルデバイスにとって、重要な影響を持つ。したがって、投影型静電容量技術のようなタッチ技術を含むデバイスにおいて、より低い電力消費が可能な技術及び手法を提供することが望ましい。
【概要】
【０００５】
この概要は、以下の詳細な説明においてさらに説明される特定の形態における概念の選択を導入するために提供される。この概要は、請求項に記載された事項についての重要なあるいは本質的な特徴を排他的に特定することを意図するものではなく、また、請求項に記載された事項の範囲を決めるための支援となることを意図するものでもない。
【０００６】
タッチスクリーン動作のためのパワーモードを切り替えるためのシステム及び方法についての、例示の実施形態が開示される。この実施形態においては、低パワーを用いたタッチ検出モードをタッチスクリーン動作のために用いることができ、これにより、高パワー消費のスキャンモードの動作を用いる必要のない時間の間における電力消費を減らすことができる。一実施形態では、タッチ検出モードの起動は、省電力動作の間に満足され又は発生することのできる選択された基準、又は、選択された条件に基づくことができる。タッチ検出モードの起動は、選択された基準が充足されたこと、あるいは、選択された条件が生じたことに基づいてスキャンモードからタッチ検出モードへ切り替えることを含むことができる。タッチスクリーンのうちの少なくとも一つのチャネルを監視することは、タッチ検出モードの間であっても実行可能であり、タッチイベントが生じたことの決定は、少なくとも一つのチャネルについての監視に基づいて行われうる。タッチイベントが生じたと決定される場合、タッチ検出モードからの遷移が実行される。選択的な実施形態では、タッチ検出モードからの遷移は、満足されるであろう他の基準に基づいて実行される。
【０００７】
タッチ検出モードからの移行は、タッチ検出モードからスキャンモードへの切替を含むことができる。一例の実施形態では、スキャンモードは、高パワーモードを備えることができ、その中では、タッチスクリーンにおけるすべてのチャネルがスキャンされ、そして、タッチ検出モードは、低パワーモードを備えることができ、その中では、タッチスクリーンにおける、より少ないチャネルが、タッチイベントのために監視される。この実施形態の代替においては、監視されるチャネルは、タッチスクリーンにおけるすべてのチャネルを含むことができる。タッチスクリーンにおける少なくとも一つのチャネルの監視は、タッチ検出モードであっても、少なくとも一つのチャネルにおける電荷量の監視と、この電荷に基づく信号の生成とを含むことができる。この信号を用いて、タッチイベントが生じたかどうかを決定することができる。監視を実装するための例示的な回路は、スイッチと、電荷増幅回路を有するタッチ検出回路とを含むことができる。電荷増幅回路は、少なくとも一つのチャネルにおける合計の電荷に基づいて電圧信号を生成することができ、前記チャネルは、同時に、タッチ検出モードにおいて、タッチ検出回路に接続されている。
【０００８】
他の実施形態では、タッチ入力の力を決定する圧電的またはピエゾ抵抗性のセンサに基づく力検出システムを含むハイブリッド投影型静電容量（hybrid projected capacitance）を有する投影型静電容量タッチスクリーン（projected capacitance touchscreen）との組み合わせとしてシステム及び方法を実装できる。この実施形態において用いられる力検出システムにより、タッチスクリーンにおける少なくとも一つのタッチセンサチャネルでの静電容量を、タッチイベントの表示のために、低パワータッチ検出モードの間であっても、監視できる。
【０００９】
例示的な実施形態においては、選択された基準あるいは選択された条件の発生であって、タッチ検出モードを起動させうるものは、例えば、休止のタッチモードにおけるデバイス、例えば、入力を受信しない規定時間の間にメディアを演奏するデバイス、スリープモードにおけるデバイス、あるいは、間欠的なタッチ入力のみが受信されるがデバイスを起動する入力を検出することが望まれるようなタッチスクリーンのための操作の他のモードを含むことができる。
【図面の簡単な説明】
【００１０】
【図１】図１は、開示された実施形態による例示的なシステムのブロック図である。
【図２Ａ】図２Ａは、スキャンモードのために構成された例示的回路の単純化した図である。
【図２Ｂ】図２Ｂは、タッチ検出モードのために構成された例示的回路の単純化した図である。
【図３Ａ】図３Ａは、開示された実施形態と共に使用されうる例示的なタッチスクリーンの単純化した断面図である。
【図３Ｂ】図３Ｂは、例示的なディスプレイアセンブリの平面図である。
【図４】図４は、例示的なタッチ検出回路の概略である。
【図５】図５は、開示された実施形態により実行されうる例示的な操作を示すフロー図である。
【図６】図６は、開示された他の実施形態により実行されうる例示的な操作を示すフロー図である。
【図７】図７は、開示された実施形態によるモード遷移についての例示的な時系列を示す図である。
【実施形態についての詳細な説明】
【００１１】
システム、方法、及び装置が、例示的実施形態を用いて、以下に記載される。この例示的実施形態は、この開示において、例示的目的のために提示されるのであり、開示の範囲あるいはここに記載された請求項について制限あるいは制約することを意図していない。ここに記載された技術及び手法は、低パワータッチ検出を提供し、それは、タッチスクリーンデバイスについて省電力を提供するために使用されうる。例示的な実施形態は、例えば、タッチ入力の力を判断することもできる静電的あるいはピエゾ抵抗的センサに基づく力検出の特徴を含めるために実装される投影型静電容量タッチパネルに実装されたときに利点を提供する。これらのタッチパネルにおいては、タッチを検出するために、駆動信号が求められない、あるいは、とても低パワーの駆動信号が求められるような低電力状態が用いられる。この低パワー状態では、タッチパネルへの力あるいはタッチ圧力は、センサの静電容量を変化させ、そして、センサチャネルおいて電荷を生じさせる。この開示における例示的な実装では、この電荷を、低パワー状態であっても、監視することができ、そして、投影型静電容量タッチパネルセンサは、この低パワー状態におけるタッチイベントについての受動的センサとして、効果的に機能することができる。したがって、デバイスの電力消費を減らすことができる。
【００１２】
この開示における例示的な実施形態は、指の押圧と他のタッチイベントとのどちらがスキャンなしのタッチスクリーンレンズに対して行われたかかについて区別しない従来のタッチシステムに対する利点を提供する。そのようなタッチシステムを用いるデバイスにおいてディスプレイがオンであるとき、このタッチシステムは、その最高能力レベルにおいてタッチスクリーンをスキャンし、指の押圧／タッチイベントを検出することを待ち、あるいは、何も受け取られなかったことを判定することを待つ。このスキャンは、低パワーモードでの正しさが低すぎて指の押圧／付随するタッチイベントへの追跡状態を起動することができないことを大きな理由として行われる。このタイプの、高能力レベルでのスキャンについてのタッチシステムが用いられる理由は、そうしなければ、ディスプレイがオンであって、かつ、指の押圧がタッピングあるいはフリッキングにより、比較的高い頻度で適用されたときに、エンドユーザが遅れ（lag）に気付くことがあるためである。本実施形態のタッチ検出は、スキャンモードを用いる必要性を減らし、そして、電力消費を減らす。
【００１３】
この開示における実施形態によるタッチ検出は、多様な高パワースキャン技術との組み合わせ又は結合においてこれらの実施形態が使用されうるという利点を提供する。タッチ検出を用いて、例えば配置／位置の決定を提供するようなもの、あるいは力検出可能性を含む配置／位置決定を提供するスキャン技術のような他の何らかのスキャン技術への遷移を開始することができる。例えば、タッチ検出を、フル電圧でのフルレポートを含むフルスキャン技術（通常の動作及び高精度のためにディスプレイオン）との、低減電圧での低減レポートを含むフルスキャン技術（ディスプレイのバックライトはオフ、ディスプレイＩＣは低パワーモードにおいてスタンバイ／タッチ、そして、低／中間のタッチ精度）との、そして、低減されたレポートと低減された電圧とを含む低減スキャン技術（ディープスリープモード）との結合において用いることができる。この実施形態におけるタッチ検出は、これらの技術との組み合わせにおいて動作するように構成されていてもよく、これにより、これらのスキャン技術への依存を減らし、そしてその使用を減らして、低電力消費を提供することができる。
【００１４】
この開示によるタッチ検出についての例示的な実施形態は、さらに、「ジェスチャモード」を可能にするタッチコントローラＩＣについての利点を提供する。これらのタッチコントローラＩＣにより、低パワーでタッチパネルを操作することができ、かつ、いくつかのジェスチャ可能性を検出することもできる。しかしながら、これらのタッチコントローラＩＣが検出できるジェスチャの数は、制限されており、解像度は制限されており、ジェスチャを検出できる領域は、通常、制限されている。例えば、現行のいくつかのスマートフォンでは、タッチパネルは、検出ネットワークにおける低い部分、例えば、タッチスクリーンの底部中央に近いＶ型の部分のみを見ており、このとき、例えば１／３の解像度とスキャンについての低い精度／頻度を用いており、そしてそれは、指がスワイプジェスチャを行ってスクリーンを覚醒させることを待っている。この開示における実施形態によるタッチ検出の例示的な実施形態は、これらのジェスチャモードよりも広いタッチスクリーン範囲を低電力消費で提供するように構成可能である。
【００１５】
この実施形態におけるタッチ検出の利点は、タッチ検出により、例えば指がタッチスクリーン上にあるかどうかをスキャンせずに検知できることである。タッチスクリーンのセンサチャネルを監視するための構成セットアップによっては、例示的な実施形態においてタッチ検出を構成して、監視回路へのセンサチャネルの切替を変化させることによりタッチスクリーン上での発生イベント（incident event）位置を追跡することができる。これらの実施形態では、タッチ検出についてのこの位置検出能力を、低減精度スキャンと組み合わせることができ、これにより、投影型静電容量サイドの電力消費を減らすことができ、しかも、依然として、何らかの概略的な位置検出を提供することができる。何らかの現在の使用においては、省電力のために、投影型静電容量スキャンは低速化され、これは例えば、ディスプレイがオンのときの何らかの状況であるときを含む。これは、スキャンのタッチ精度を低減させるけれども、タッチ検出と組み合わせて、位置を確認するためのスキャン及びタッチ検出操作に基づいて、向上したタッチ精度を提供することができる。投影型静電容量についてのフルスキャンを用いるけれども、低減したレポート及び低減した電圧を用いると、低いあるいは中間的な低減精度が提供されるだけである。低減スキャンモードにおいて、力タッチは、位置を検出でき、そしてそれは、少なくとも投影型静電容量と同じくらいの低いあるいは中間的なレベルの精度で、静電容量がフルスキャンのために覚醒する時までタッチを追跡できる。低減レポートと低減電圧とを用いたフルスキャンをそれから始動することができる。代替的に、スキャンについての何らかの他のモードを始動することができる。
【００１６】
一つの例示的な実装は、タッチイベントが検出されたときに、投影型静電容量を直ちには覚醒させない構成であってもよく、その代わりに、監視されたセンサチャネルについての監視回路への切り替え変更をしばらく用いて、力タッチ検出に指をしばらくは追跡させ、それから、投影型静電容量を覚醒させてもよい。既知のセンサチャネルについての多様な切り替えスキームを用いることによって、多様な配置／位置の決定の実装を、開示されたタッチ検出を用いて実現することができる。このことは、投影型静電容量を十分長く、ただしユーザが遅れや精度についての何らかの問題に気付くほど長くない程度に、オフに維持することによって、追加的な電力を節約することができる。本実施形態のタッチ検出は、いつ指が、あるいはタッチスクリーンに触れる何らかのオブジェクトが存在するか否かを知ることについての利点を提供し、ここで、投影型静電容量を用いて行われるのと同様なフルスキャンを行う必要はない。
【００１７】
本実施形態によるタッチ検出は、デバイスをスリープモードから離脱させるための機械的ボタンを用いる必要性と、タッチスクリーンがパワーダウンさせられているときにタッチスクリーン位置センサをパワーアップする必要性とを除去することができる。本実施形態によれば、直接にスクリーンを押すこと、あるいは、デバイスをスリープモードから離脱させるための覚醒ジェスチャを適用することを便利とすることができる。さらに、本実施形態によれば、デバイスが「休止（idle）」タッチモードにあるとき、例えば、デバイスのユーザが映画を見ているとき、デバイスを低パワーモードに切り替えることができる。
【００１８】
ここで、図１を参照すると、この開示の実施形態による例示的なシステム１００についてのブロック図がある。図１では、システム１００は、タッチパネル１０２、スイッチ１０４、タッチ検出機能１０６、及びプロセッサ１０８を含むものとして示されている。タッチスクリーン操作のためのパワーモードを切り替えるためのシステム及び方法は、スイッチ１０４、タッチ検出機能１０６、及びプロセッサ１０８により示される例示的な機能において実装される。図１は、本開示の一実施形態における機能ブロック間の相互接続（interconnection）を示す。スイッチ１０４は、チャネル接続１１２を通って、タッチパネル１０２のセンサチャネルに接続されており、そして、タッチ検出入力１１６を通って、タッチ検出機能１０６に接続されている。スイッチ１０４は、スイッチがタッチ検出モード構成にあるべきか、あるいは、フルスクリーンモード構成にあるべきかを示すモード入力信号１１０を受け取る。モード入力信号がフルスキャンモードを示すとき、スイッチ１０４は、タッチパネル１０２のセンサチャネルにおけるチャネル接続１１２を出力し、これにより、フルスキャン接続１１４の先のフルスキャン機能による利用が可能になる。モード入力信号１１０がタッチ検出モードを示すとき、スイッチ１０４は、タッチ検出入力１１６の向こう側のタッチ検出機能１０６に信号を出力し、その信号は、タッチパネル１０２の少なくとも一つのセンサチャネルのチャネル接続１１２における電荷を示す。タッチ検出機能１０６は、タッチ検出入力１１６上での信号を受け取り、タッチ検出イベントが生じたかどうかを決定する。もし、タッチ検出イベントが発生したら、タッチ検出機能１０６は、タッチ検出出力１１８上での信号を、プロセッサ１０８に出力し、それは、タッチ検出イベントが生じたことを示す。プロセッサ１０８は、システム１００における他の機能と適切に相互作用する。プロセッサ１０８は、実行されたときに、プロセッサ１０８に、タッチ検出及びフルスキャンモードにおいて、相互作用させかつシステム動作を制御させるコードあるいはソフトウエアプログラムを有する一つ又は複数のメモリを含む。例えば、一つの実装においては、プロセッサ１０８は、スイッチ１０４のためのモード入力信号１１０を、タッチ検出出力信号１１８に基づいて生成することができ、これにより、何のモードで動作すべきかをスイッチ１０４に示すことができる。プロセッサ１０８は、一実施形態におけるタッチ検出の実装において、デバイスにおけるフルスキャン機能及び他の機能を用いてシステム１００の相互作用を制御することもできる。
【００１９】
プロセッサ１０８は、一つの機能ブロックとして示されているけれども、それによって、プロセッサ１０８の機能が実装されうるのであり、それは、一つ又は複数のプロセッサあるいは処理ユニットを含むことができ、そして、プロセッサという用語の使用は、このような全ての実装を含むために用いられる。
【００２０】
一つの例示的な実装では、スイッチ１０４は、一つ又は複数のセンサチャネル結合における電荷をタッチ検出入力１１６として合計するように構成することができる。タッチ検出モードにおいては、タッチパネル１０２（そこから電荷が合計され、スイッチ１０４によりタッチ検出入力１１６としてタッチ検出機能１０６に出力される）におけるセンサチャネルの数は、フルスキャンのために用いられるチャネルの数とは異なっていてもよい。例えば、タッチ検出入力１１６において電荷が生成されるセンサチャネルの数は、スイッチ１０４により切り替えられてフルスキャン接続１１４の向こう側に出力されるセンサチャネルの数より少ない数であってもよい。また、スイッチ１０４を通して送られない、タッチパネル１０２からフルスキャン機能への他のセンサチャネル入力があってもよい。
【００２１】
代替的な実装においては、プロセッサ１０８を用いて、タッチ検出モードにおいても、スイッチ１０６を制御することができ、これにより、タッチスクリーン１０２における複数のセンサチャネルのそれぞれを、順番に（in a sequence）監視出力に接続することができ、これにより、タッチスクリーンへの接触についての位置決定と検出ができる。連続的なタッチ検出信号を監視及び処理することにより、プロセッサ１０８は、タッチスクリーン１０２における選択された垂直及び水平センサチャネルの間で切り替えて、多数のチャネル、例えば交差するチャネルからのタッチイベントを検出することができ、そして、監視されたデータから、タッチイベントの位置を決定することができる。
【００２２】
ここで、図２Ａ及び図２Ｂを参照して、スキャンモード及びタッチ検出モードのそれぞれのために構成された例示的な回路についての単純化された図がここに示される。回路２００は、スイッチ２０６、タッチ検出機能２０４、フルスキャン機能２０２、及びタッチパネル２１０を含む。スイッチ２０６とタッチ検出機能２０４とは、タッチパネル２１０のためにパワーモードの切替を実装する回路を提供する。この例示的回路は、図１に示される実施形態において実装されていてもよく、そのときは、スイッチ１０４はスイッチ２０６として実装され、タッチパネル１０２は、タッチスクリーン２１０として実装され、そしてタッチ検出機能１０６はタッチ検出機能２０８として実装される。図２Ａ及び図２Ｂの例は、センサチャネル２１６ａ〜２１６ｄを含むタッチパネル２１０の部分を示す。図２Ａ及び図２Ｂは、水平方向に配向された４本のセンサチャネルを示すけれども、タッチパネル２１０は、タッチ検出モードにおける監視のためにスイッチ２０６に接続されている、垂直又は水平のいずれかの方向に向けられたどのような数のセンサチャネルをも、実施形態が実装される実際のタッチパネルに応じて、含むことができる。スイッチ２０６は、フルスキャン機能２０２とタッチ検出機能２０４との間で、センサチャネル２１６ａ〜２１６ｄを切り替えて遷移させるために機能する。スイッチ２０６は、スキャンモードにおいて、センサチャネル２１６ａ〜２１６ｄとフルスキャン接続２１４ａ〜２１４ｄのそれぞれの間に接続され、タッチ検出モードにおいて、センサチャネル２１６ａ〜２１６ｄとタッチ検出接続２１２との間に接続される、対応するスイッチを含む。スイッチ２０６により用いられるセンサチャネルの数は、実装により変化することができる。
【００２３】
一つの例示的な実装においては、タッチパネル２１０におけるすべてのセンサチャネルは、フルスキャンモードの間、フルスキャン機能２０２に接続されかもしれず、ｎ個のセンサチャネル（ここでｎはすべてのセンサチャネルまでの何らかの数）は、タッチ検出動作のためにタッチ検出機能２０４に切り替え可能かもしれない。図２Ａ及び図２Ｂの回路２００は、スイッチ２０６、タッチ検出機能２０４、フルスキャン機能２０２及びタッチパネル２１０の間の信号についての、タイミング及び切替の制御を提供する処理回路、例えば図１のプロセッサ１０８に接続されていてもよい。処理回路は、タッチ検出機能２０４の中に含まれていてもよく、あるいは、機能のいずれか若しくは全ては、タッチ検出信号の処理においてタッチ検出機能２０８と結合して機能する分離されたプロセッサの中に含まれていてもよい。
【００２４】
図２Ａは、フルスキャンモードにおいて、スイッチ２０６を有する回路を示す。フルスキャンモードに入るのは、例えば、タッチパネル２１０が実装されるデバイスがアクティブモードにあり、タッチパネル２１０においてユーザ入力を受け取ろうとする時である。スイッチ２０６のスイッチは、センサチャネル２１６ａ〜２１６ｄのそれぞれを、フルスキャン接続２１４ａ〜２１４ｄの一つにそれぞれ接続する。それから、フルスキャン機能２０２が動作して、フル解像度のために、タッチスクリーン２１０の接続２１４ａ〜２１４ｄを使用することができ、そして、タッチ位置検出及び／又はタッチ力検出を含むことができる容量性スキャン検出（capacitive scan sensing）を高速化することができる。
【００２５】
図２Ｂは、タッチ検出モードにおけるスイッチ２０６を有する回路を示す。例えば、タッチパネル２１０においてユーザ入力がないときあるいは受信されていないとき（規定量の時間の間）にタッチパネル２１０が実装されるデバイスがスリープモードに遷移する場合に、タッチ検出モードを起動できる。スイッチ２０６のスイッチは、各センサチャネル２１６ａ〜２１６ｄをタッチ検出接続２１２に接続する。それから、タッチ検出機能２０４が動作して、タッチ検出のために接続２１２を用いることができる。タッチ検出機能２０４は、接続２１２において、接続されたセンサチャネル２１６ａ〜２１６ｄにおいて生成された全電荷を検知することによって、接続２１２を監視することができる。電荷に基づいて生成される信号が既定の基準を満たすとき、タッチ検出機能は、タッチイベントが生じたと決定して、接続２０８においてタッチ検出信号を生成することができる。プロセッサ、例えば図１のプロセッサ１０８は、タッチ検出信号を用いて、フルスキャン機能２０２に、タッチが検出されたこと、及び、スイッチ２０６がフルスキャンモードに切り替えられることを示すことができる。
【００２６】
ここで、図３Ａを参照すると、この開示における実施形態において使用できる例示的なタッチスクリーンについての単純化された断面図が示されている。タッチスクリーン３００は、圧電的又はピエゾ抵抗性に基づくタッチスクリーンであってもよい。タッチスクリーン３００は、パターン導電層（pattern conductive layer）３０２と、感圧素子を形成する圧電層３０４、例えばＰＶＤＦ層と、パターン化された導電層３０６と、ディスプレイガラス３０８とを備えることができる。圧電層３０４は、導電層３０２及び３０４により構成されるタッチセンサの中に埋め込まれている。タッチセンサ内部の導電層３０４により、例えばタッチスクリーン３００上での「タップ」のような力ジェスチャを、例えば低パワー比較回路を用いて、タッチ検出モードのときでも、検出することが可能になる。このことにより、タッチ検出についての受動的検出（passive detection）を、スキャン励起信号（scan excitation signals）を用いずに行うことができる。この開示の例示的な実装において利用するために、タッチ検出モードにおける動作は、タッチスクリーン３００の動作のための低パワー状態を可能にしており、ここでは、駆動信号なしとされ、あるいは代替的には、低頻度駆動信号のみがタッチ検出のためにタッチ検出機能により用いられる。図２Ａ及び図２Ｂの実施形態におけるように、すべての利用可能なセンサチャネルより少ない数のものを、タッチ検出モードにおいて監視することもできる。
【００２７】
図３Ａは、タッチパネル３００についての単純化された積層（stack-up）を示し、これは、圧電層３０４と、投影型静電容量タッチパネルの積層と同様とされうる特徴とを含む。導電層３０２及び３０６は、透明な導電材料、例えばＩＴＯ、銅メッシュ、銀ナノワイヤから、あるいは、パターン化されうる導電層及びパターン化されていない他のものであってＸ−Ｙ位置検知とＺ圧力検知ネットワークとを作るためのもののうちの一つから、ともにパターン化されている。一実施形態では、圧電層３０４を、フィルムとすることができ、そこでは、導電層３０２及び３０６により形成された電極をその上に直接に配置することができる。他の実施形態では、圧電層１０４は、ＰＥＴのような厚い支持基板上に貼り合わされる薄膜であってもよく、その二つの組み合わせは、圧電層３０４として表現されうる。さらに他の実施形態では、圧電層３０４は、スロットダイコーティング（slot die coating）あるいはスクリーン印刷により印刷されてもよく、ＰＥＴのような支持基板上に塗布されて、圧電層３０４を形成してもよい。電極３０２及び３０６の組み合わせは、タッチの圧力及び位置を検出できる検出ネットワークを形成する。この開示における実施形態と共に使う場合において、センサをスイッチにより、例えば図２のチャネルセンサ２１６ａ〜２１６ｄに接続することができる。積層の組み合わせ３００を、外部的な、及び、埋め込みの構成において、例えば、オンセル（on-cell）及びインセル（in-cell）の構成において用いることができ、そして、必要に応じて積層を変化させることができる。
【００２８】
ここで、図３Ｂを参照すると、ここには、図示されるタッチパネルトレース（touch panel traces）を有する例示的なディスプレイアセンブリの平面図が示されており、これは、この発明の一実施形態において使用可能なものである。ディスプレイアセンブリ３０１は、投影型静電容量タッチスクリーンであり、複数の送信トレース（transmitter traces）３１１（水平方向のトレースとして示されている）と、複数の受信トレース（receiver traces）３２１（垂直方向のトレースとして示されている）とを含み、それらは、タッチ検知グリッドを構成している。トレース３１１及び３２１は、導電性であり、実質的に光学的な透明であって、ディスプレイ画素アレイ３５１の上に重畳できるようになっている。トレース３１１及び３２１を示す、グリッドにおける交点でのディスプレイアセンブリ３０１の断面は、図３Ａでの導電層３０２及び３０６によりそれぞれ表示され、ここで、圧電層３０４の少なくとも一部はそれらの間に配置されている。これらのトレースを、例えばＩＴＯ又は銀ナノワイヤをガラス基板上に配置することにより形成することができる。さらに、送信トレース３１１は、例えばガラスや他の何らかの絶縁体から形成された中間的な絶縁バリアを用いて、受信トレース３２１から電気的に絶縁されている。
【００２９】
フルスキャン動作では、駆動回路３１３は、電圧を送信トレース３１１に印加し、静電場を生成する。外部的な刺激（例えば指又はスタイラス）が欠落している場合、静電場はグリッドにわたって一様である。送信及び受信トレースの各交差は、キャパシタを構成し、これは対応する静電容量を持つ。受信トレース３２１は、スイッチ３２３に接続できるセンサチャネルを形成する。フルスキャンモードでは、スイッチ３２３はセンサチャネルを位置検出及び／又は圧力検知フルスキャン機能に、フルスキャンモード出力３５６において接続する。タッチモードにあるとき、駆動回路３１３は、送信トレースに対して電圧を印加しなくともよく、そして、スイッチ３２３は、少なくとも一つのセンサチャネルを、タッチ検出機能に、タッチ検出機能モード出力３５８において接続することができる。スイッチ３２３を例えば図２又は図４にそれぞれ示すスイッチ２０６又は４０８として実装でき、モード入力信号３５４に応じて、アセンブリ３０１をタッチ検出機能及びフルスキャン機能に接続できる。代替的な実施形態においては、タッチ検出モードにあるときに、スイッチ３２３をいずれかの受信及び／又は送信トレース３２１又は３１１（Ｘ又はＹ軸）に接続して、監視されたセンサチャネルを作り出すことができる。
【００３０】
導電性のオブジェクトがパネルに触れたとき、一様な静電場は局所的に歪められる。この歪は、送信及び受信トレースの交差における静電容量の変化（例えば相互容量（mutual capacitance）の減少）をもたらす。この静電容量の変化は、タッチ検出モードにあるときでも、タッチ検出機能に接続された各受信トレース３２１の電荷の監視により決定できる。監視されるチャネルの数に依存して、監視されたチャネルがタッチに影響されたときに、スクリーンでのタッチイベントを検出できる。典型的には、１０〜１６本の送信トレース３１１、及び１０〜１６本の受信トレース３２１、すなわち１００〜２５６個の個別のタッチ位置が存在する。トレースは、典型的には、幅４〜６ｍｍの間であり、典型的な指タッチを取得できる。ディスプレイ画素アレイ３５１は、画素アレイ３５１のサブセットから構成される画素アレイ部３５２を持つ。
【００３１】
この開示における実施形態との組み合わせとして利用できるタッチスクリーンのためのディスプレイアセンブリにおける画素アレイ及び画素アレイ部を、タッチ検出モードを適用可能な何らかの態様で実装することができる。本実施形態との使用に適するディスプレイアセンブリについての例示的な実装は、米国公開公報２０１３／０２６５２５６及び同２０１４/０００８２０３に示され、かつ記述されており、これらはそれぞれ、その全体がここに組み込まれる。
【００３２】
この開示における実施形態では、アレイにおける少なくとも一つの圧力検知要素が、センサチャネルを通って、タッチ検出機能に接続されている。タッチ検出モードにおいては、接続された圧力検知要素センサチャネルの容量における電荷は、タッチ検出機能により、ここに記載されたように監視される。この監視を、アレイに印加される駆動電圧を用いて又はそれなしで実行することができる。
【００３３】
ここで、図４を参照すると、ここには、この開示の実施形態による他の例のタッチ検出回路の概要がある。図４は、圧電層３０４と共に実装されてタッチ検出機能を実行できる回路４００を示す。回路４００は、スイッチ４０８と、電荷増幅器４０６と、タッチ検出決定機能４０２とを含む。スイッチ４０８は、図３に示す実装に従って実装されうる投影型静電容量タッチスクリーン４１０に接続されている。例示的な回路４００を、図１のブロック図において示される実施形態において実装でき、ここでスイッチ４０８はスイッチ１０４として実装され、タッチパネル４１０はタッチスクリーン１０２として実装され、そして、電荷増幅器４０６及びタッチ検出決定機能４０２は、タッチ検出機能１０６として実装される。抵抗４２４、４２８及び４３０、並びに容量４２６及び４３２は、低パワー電荷増幅器としての増幅器４０６を構成するために用いられている。増幅器４０６の出力４０４における電圧Ｖｏｕｔは、増幅器４０６のマイナス（−）入力での、抵抗４２８を通る電荷入力に比例して生成される。回路４００は、スイッチ４０８と、チャージ増幅器４０６と、タッチ検出決定機能４０２とを含む。
【００３４】
回路４００がフルスキャンモードにあるとき、スイッチ４０８を用いて、スイッチ４１８（１）〜４１８（ｎ）を構成し、センサチャネル４２０（１）〜４２０（ｎ）をフルスキャン機能接続４２２（１）〜４２２（ｎ）にそれぞれ接続することができる。それから、タッチスクリーン４１０を用いたフルスキャン動作のために、接続４２２（１）〜４２２（ｎ）を用いることができる。タッチ検出モードのために用いられるチャネルの数は、タッチスクリーン４１０におけるセンサチャネルの全数からのどのような数ｎであってもよい。図４の例では、タッチスクリーン４１０は、ｎ個より多いセンサチャネルを有することができ、すべてのセンサチャネルは示されていないかもしれない。
【００３５】
タッチ検出モードが起動されて、回路４００がタッチ検出モードにあるとき、スイッチ４０８を用いて、接続センサチャネル４２０（１）〜４２０（ｎ）への、及び、抵抗４２８を介する増幅器４０６のマイナス（−）入力へのスイッチ４１８（１）〜４１８（ｎ）を、同時に構成することができる。増幅器４０６は、センサチャネル４２０（１）〜４２０（ｎ）での電荷を追跡あるいは監視し、そして、出力４０４において電圧Ｖｏｕｔを生成する電荷増幅器として機能する。Ｖｏｕｔは、センサチャネル４２０（１）〜４２０（ｎ）における電荷に比例的であってもよい。タッチ検出決定機能４０２は、Ｖｏｕｔ信号４０４を受け取り、そして、Ｖｏｕｔを監視すること及びＶｏｕｔが規定の基準に達したことに基づいて、タッチイベントが発生したかどうかを決定する。タッチ検出決定機能４０２が、タッチイベントが生じたことを決定するとき、タッチ検出信号が生成される。タッチ検出信号を用いて、タッチ検出モードから遷移させることができる。他の考察のための代替的な実装では、例えば、デバイス使用コンテキストがタッチ検出信号との関連において使用され、タッチイベントが発生したことを決定でき、そして、タッチ検出モードからの遷移を引き起こすことができる。タッチ検出モードからの遷移においては、回路４００は、スキャンモードでの動作に切り替わる。
【００３６】
代替的な実施形態では、タッチ検出回路は、タッチ検出モードからの又はそれへのそれぞれの遷移時において、フルスキャンモード以外の動作モードに又はそれから移動することが可能である。プロセッサ、例えば図１のプロセッサ１０８を用いて、タッチモードにある時であっても、タッチ検出モードが起動されており、スイッチ４０８を制御して、少なくとも一つのセンサチャネルを増幅器４０６に接続することができ、タッチ検出モードからの遷移がタッチイベントの発生に応答して発生するとき、センサチャネルをフルスキャン機能に接続することができる。
【００３７】
代替的な実施形態では、プロセッサは、タッチスクリーン１０２における複数のセンサチャネルのそれぞれを、監視出力に順に接続することができ、それにより、タッチスクリーンへのタッチについてのタッチ検出に伴う位置決定が、一連のタッチ検出信号の監視及び処理により可能になる。これは、例えば、タッチスクリーン４１０における選択された垂直及び水平のチャネル間での切り替えを行うためにスイッチ４０８を制御することにより行うことができ、これにより、複数チャネルからの、例えば交差するチャネルからのタッチイベントを検出し、監視されたデータから、タッチイベントの位置を決定することができる。
【００３８】
ここで、図５を参照すると、ここには、この開示の実施形態に従って実行できる例示的動作を示す流れ図がある。図５は、図１の機能ブロックを参照しながら記述される。
【００３９】
このプロセスは、ディスプレイがオンとなる５０２で始まる。これは、例えばタッチパネル１０２が実装されたデバイスをユーザが始動させたときに起こりうる。５０４において、フル解像度／フルスピードの静電容量検知がオンに切り替わる。５０４での動作の一部として、モード入力信号１１０がプロセッサ１０８からスイッチ１０４に入力され、スキャンモードに切り替わるようにスイッチ１０４を制御する。タッチパネル１０２からのチャネル接続入力１１２は、その後に、スイッチ１０４を通ってスキャン接続１１４に接続される。プロセッサ１０８は、例えばフルスキャン機能の起動のために指示する信号などの他の制御信号を生成して、５０４においてデバイスを制御することもできる。その後に、ユーザ入力を受け取るための、フル解像度かつフルスピードの静電容量検知のために、フルスキャン機能がスキャン接続１１４を用いることができる。
【００４０】
５０６において、タッチパネル１０２上での検出されたタッチ発生がないフレーム量ｘが生じたかどうかが決定される。このことは、例えば、フルスキャン機能によりタッチパネル５０２から受信されるフレーム量ｘのための期間により決まる規定の時間間隔内において、ユーザ入力が受け取られないときに生じる。図５における一つの例示的な実装では、プロセッサ１０８は、フルスキャン機能と相互作用して、情報を受信し、この決定を５０６において行うことができる。
【００４１】
つぎに、５０８において、５０６でのタッチ発生がないフレーム量ｘの検出に応答して、静電容量検知が低パワーモードとされる。５０８の動作においては、図１のシステムのためにタッチ検出モードが起動され、低パワー動作が提供される。実装においては、プロセッサ１０８は、モード入力信号１１０を生成して、スイッチ１０４を制御し、タッチ検出モードを起動することができる。タッチ検出モードでは、チャネル接続入力１１２がタッチ検出入力１１６に接続される。５１０では、タッチ検出機能１０６は、タッチ検出入力１１６を監視し、タッチイベントを待つ。５１０では、ディスプレイは、例えば動画視聴モードのようなアクティブ視聴モード（active viewing mode）であり続けてもよい。例示的な実装では、タッチ検出機能１０６は、図２Ａ、図２Ｂ、及び図４における例示的な回路について記述したように、監視を実行することもできる。
【００４２】
次に、５１２において、タッチ検出機能は、タッチパネル１０２上での力タッチを検知し、タッチイベントが生じたことを決定する。例えば、タッチパネル１０２が実装されるデバイスのユーザがパネル１０２に触れて、デバイスを起動し、低パワーのタッチ検出モードから覚醒させて、入力を始めることができる。例示的な実施形態では、タッチ検出機能１０６は、図２Ａ、図２Ｂ、及び図４の例示的回路に記載されるようにして、決定を実行することができる。ユーザは、タッチ検出機能を構成して、タッチスクリーン１０２上における接触の力が規定の閾値を越えるとタッチ検出機能１０６により決定されるときに、力タッチを検知し、あるいはタッチイベントを検出することができる。
【００４３】
５１４では、力タッチに応答して、フル解像度／フルスピードの静電容量検知が復活し、フルスキャンモードが起動するときに、タッチ検出モードからの遷移が実行される。５１４での動作の一部として、モード入力信号１１０は、プロセッサ１０８からスイッチ１０４への入力であってもよく、スイッチ１０４を制御してスキャンモードに切り替えることができる。タッチパネル１０２からのチャネル接続入力１１２は、その後、スキャン接続１１４に、スイッチ１０４を通って接続される。プロセッサ１０８は、例えば、フルスキャン機能にそれが起動すべきであることを指示する信号のような他の制御信号を生成して、５０４においてデバイスを制御することもできる。ユーザ入力を受領するためのフル解像度でフルスピードの静電容量検知のために、フルスキャン機能がスキャン接続１１４を使用できる。タッチパネルのパワーモード切り替え機能は、その後、デバイスが操作されるときに、タッチ検出モードとフルスキャンモードとの間を、図５の実施形態に従って、継続して、切り替えることができる。
【００４４】
ここで、図６を参照すると、本開示における他の実施形態に従って実行されうる例示的な動作を示す流れ図がある。図６は、図１の機能ブロック図を参照しながら記述される。
【００４５】
ディスプレイがオフになるところの６０２において、プロセスが開始する。これは、例えば、タッチパネル１０２が実装されるデバイスをスリープモードにユーザが切り替えるときに、あるいは、入力を受け取らずに、あるいは規定量の時間の間に使用されなかった後に、デバイスが自動的にスリープモードに切り替わるときに生じうる。６０４において、低パワーの圧力検知監視が起動される。６０４の動作において、タッチ検出モードが、例えば、図１のシステムのために起動され、駆動信号を用いないあるいはタッチスクリーンに印加される電圧を用いない低パワー動作を提供することができる。実装においては、プロセッサ１０８は、モード入力信号１１０を生成して、スイッチ１０４を制御して、タッチ検出モードを起動することができる。タッチ検出モードでは、チャネル接続入力１１２は、タッチ検出入力１１６に接続される。６０６において、タッチ検出機能１０６は、タッチ検出入力１１６を監視し、タッチイベントの発生を待つ。例示的な実施形態では、タッチ検出機能１０６は、図２Ａ、図２Ｂ及び図４における例示的な回路について記載したようにして、監視を実行することができる。
【００４６】
６０８において、タッチ検出機能は、タッチパネル１０２上での力タッチを検知し、タッチイベントが生じたことを決定することができ、そして、６１０においてタッチ圧力検知が引き起こされる。例えば、タッチパネル１０２が実装されるデバイスのユーザは、ディスプレイがオフであるパネル１０２に触れて、低パワータッチ検出モードからデバイスを起動し、覚醒させて、入力を始めることができる。例示的な実装では、タッチ検出機能１０６は、図２Ａ、図２Ｂ、及び図４の例示的回路について記載したようにして、決定を実行することができる。例えば、ユーザにより、タッチ検出機能が構成されると、タッチスクリーン１０２上での接触の力が既定の閾値を越えるとタッチ検出機能１０６により決定されるときに、力タッチを検知し、あるいは、タッチイベントを検出することができる。
【００４７】
つぎに、６１２において、ディスプレイがつけられて、フルスキャンモードの起動により、静電容量タッチの覚醒が実行される。６１２での動作の一部として、モード入力信号１１０は、プロセッサ１０８からスイッチ１０４への入力であってもよく、スイッチ１０４を制御して、スキャンモードに切り替えることができる。タッチパネル１０２からのチャネル接続入力１１２が、その後、スキャン接続１１４に、スイッチ１０４を通って接続される。プロセッサ１０８は、例えば、フルスキャン機能の始動を指示する信号のような他の制御信号を生成して、６１２においてデバイスを制御することもできる。６１４において、ディスプレイ及びタッチ機能が覚醒すると、スクリーンに触れる指あるいはオブジェクトが存在する間、静電容量検知ラインからベースライン状態が決定される。このベースライン状態を用いて、引き続くイベントにおいて、タッチイベントがいつ実際に生じたかを、ベースライン状態と比較することにより、確認することができる。ユーザ入力を受け取るためのフル解像度及びフルスピードの静電容量検知のための静電容量タッチ・ベースライン検知を通して、フルスキャン機能がスキャン接続１１４を用いることができる。タッチ関連データが受領されると、６１６において、ディスプレイデータ入力（すなわち、ディスプレイ上に記載されているもの）が解釈され、ユーザが入力したものに対応して、適切なデータを表示することがディスプレイに指示される。例えば、ディスプレイは、何らかの時間間隔の間、スマートフォンのホームスクリーンを表示し、その後に、タッチデータ命令に応じて止めるようになっており、この命令は、アプリインタフェースを表示するデータを記述するディスプレイに、ユーザがタッチ入力を介して開くことを望むことを、彼らが指示したことを伝えるものである。
【００４８】
ここで、図７を参照して、この開示の代替的な実施形態において実装されうるモード遷移についての例示的な時系列７０２を示す図がある。図７は、タッチ検出モード動作へのあるいはそれからの遷移についての点在するスリープ期間を用いることによって、タッチスキャンの頻度がどのように減らされるか、についての例を示す。図７は、フルスキャンモード７０４ａから事象検出モード７０６に切り替える時である時間Ｔ１に事象検出モード７０６が起動した後において、そして、動作が再びフルスキャンモード７０４ａに切り替わる時間Ｔ２より前において、生じうる例示的な動作を示す。
【００４９】
時間Ｔ０において、フルスキャンモード７０４ａはアクティブである。時間Ｔ１において、低パワーモードが起動されており、事象検出モード７０６が起動されている。事象検出モード７０６における動作は、スワイプ検出サイクルを含み、ここで、スワイプ検出サイクル７０８は、パワーダウン７０６ａ、スリープ７０６ｂ、パワーアップ７０６ｃ、及びタッチ検出７０６ｄの期間を含む。事象検出モード７０６では、スワイプサイクルが、７０６ａ〜７０６ｄ、７０６ｅ〜７０６ｈ、及び７０６ｉ〜７０６ｌで示される期間において繰り返される。
【００５０】
図７は、事象検出モード７０６において時間Ｔ１ａで生じる例示的な接触７１０を示す。タッチ７１０をどのように検出できるかについての二つの例示的なシナリオが、例示的な接触７１０ａ及び接触７１０ｂにより示されており、ここで、それらの接触は、タッチ検出期間７０６Ｉにおいて検出されたことが示されている。これは、偶発的な接触７１０ｂが、サイクルのアップ／ダウンの時間７０６ｉ〜７０６ｌの間に生じうることと、それらが、タッチ検出モードが再び起動しているときに、７０６ｌにおいて検出されることとを示す。接触７１０ａは、７０６ｌの間に発生し、それは、７０６ｉの間に検出される。７０６ｌでの検出からは、タッチ検出７０６ｌからフルスキャンモード７０４ｂまでにパワーが回復するために、Ｎフレームを要する。
【００５１】
ここに開示された例示的な実施形態は、一般的な文脈での回路及び、プロセッサで実行可能なコード若しくは命令を有するプロセッサにおいて記載されており、コード若しくは命令は、メモリに格納可能であり、メモリは、一つ又は複数のコンピュータ可読媒体（例えば有形の非一時的コンピュータ可読媒体、例えばメモリ又は複数メモリ）を備える。容易に理解されるように、「コンピュータ可読媒体」あるいは「非一時的コンピュータ可読媒体」は、データ及びプログラム命令の記録媒体を含んでおり、伝搬されあるいは変調されるデータ通信信号を含まない。
【００５２】
ここに開示された機能は、実施形態における様々な要素及びデバイスについての記述を用いて、機能的ブロック及びプロセッサ若しくは処理ユニットと、命令及びコードを含むメモリとを参照して、説明的な例により記述されてきたけれども、実施形態における機能及び処理は、何らかのタイプのプロセッサ、回路、あるいはプロセッサ及び／又は回路とコードとの組み合わせを用いて実装可能であり、かつ実行可能である。これは、少なくとも一部として、一つ又は複数のハードウエア論理要素を含むことができる。例えば、及び、制約的ではなく、使用可能なハードウエア論理要素の例示的タイプは、フィールドプログラマブル・ゲートアレイ（ＦＰＧＡｓ）、特定用途集積回路（ＡＳＩＣｓ）、特定用途標準製品（ＡＳＳＰｓ）、システムオンチップ・システム（ＳＯＣｓ）、複合プログラマブル論理デバイス（ＣＰＬＤｓ）などを含む。
【００５３】
また、主題は、構造的特徴及び／又は方法的活動について、言語特有に記載されてきたけれども、理解されることとして、添付の請求項に記載された主題は、上記した特定の特徴又は活動に制約される必要はない。むしろ、上記した特定の特徴及び活動は、例示的な実施形態、実装、及び請求項の実装形態として開示されており、これらの例示的な構成及び配置は、この開示の範囲から離れない限り、大幅に変更可能である。さらに、例示的な実施形態が特定の要素と開示された工程を促進する動作とに関連して説明されてきたけれども、これらの要素及び動作は、本実施形態における所望の機能に到達する他の適切なデバイス、要素、構造、あるいはプロセスにより置換可能である。多数の他の変更、置換、変形、代替、及び修正が、当業者にとって確認可能であり、そして、この開示は、添付の請求項の範囲に入るような、すべてのそのような変更、置換、変形、代替、及び修正を含むものとして意図されている。
【図１】
0006446055.tif 000002
【図２Ａ】
0006446055.tif 000003
【図２Ｂ】
0006446055.tif 000004
【図３Ａ】
0006446055.tif 000005
【図３Ｂ】
0006446055.tif 000006
【図４】
0006446055.tif 000007
【図５】
0006446055.tif 000008
【図６】
0006446055.tif 000009
【図７】
0006446055.tif 000010